(57)【要約】【課題】  同一のデータ放送サービスに使用される複数のチャンネル番号をユーザが容易に把握することができるテレビジョン放送受信機を提供することにある。【解決手段】  データ放送データを受信する受信手段と、データ放送データからチャンネル遷移情報を取得して記録する記録手段と、チャンネル遷移情報に基づいて、各データ放送サービスごとに、データ放送サービスの説明１０３と、データ放送サービスに使用される複数のチャンネル番号を互いに対応付けたグループ１０１と、各チャンネル番号の説明１０２とを含むデータ放送グループ情報を作成する作成手段と、データ放送サービスの説明及び各チャンネル番号の説明の入力をユーザから受け付ける受付手段と、チャンネルグループ情報に基づいて各データ放送サービスごとにグループ分けされた複数のチャンネル番号をデータ放送サービスの説明及び各チャンネルの説明とともに表示するための制御を行う表示制御手段と、を備えることを特徴とするテレビジョン放送受信機。【選択図】      図５
2005318184.tif 000002
【特許請求の範囲】
【請求項１】
BML(Broadcast Markup Language)のECMAScriptで記述されたチャンネル遷移関数としてのepgTune関数よって特定されるチャンネル遷移情報であって、同一のデータ放送サービ
スで使用される複数のチャンネル番号を特定するチャンネル遷移情報を含むデータ放送データを受信するテレビジョン放送受信機であって、
前記データ放送データを受信する受信手段と、
前記データ放送データから前記チャンネル遷移情報を取得して記録する記録手段と、
前記チャンネル遷移情報に基づいて、各データ放送サービスごとに、前記データ放送サービスの説明と、前記データ放送サービスに使用される複数のチャンネル番号を互いに対応付けたグループと、各チャンネル番号の説明とを含むデータ放送グループ情報を作成する作成手段と、
前記データ放送サービスの説明及び各チャンネル番号の説明の入力をユーザから受け付ける受付手段と、
前記チャンネルグループ情報に基づいて各データ放送サービスごとにグループ分けされた複数のチャンネル番号を前記データ放送サービスの説明及び前記各チャンネルの説明とともに表示するための制御を行う表示制御手段と、
を備えることを特徴とするテレビジョン放送受信機。
【請求項２】
同一のデータ放送サービスで使用される複数のチャンネル番号を特定するチャンネル遷移情報を含むデータ放送データを受信するテレビジョン放送受信機であって、
前記データ放送データを受信する受信手段と、
前記データ放送データから前記チャンネル遷移情報を取得して記録する記録手段と、
前記チャンネル遷移情報に基づいて、各データ放送サービスごとに、前記データ放送サービスの説明と、前記データ放送サービスに使用される複数のチャンネル番号を互いに対応付けたグループと、各チャンネル番号の説明とを含むデータ放送グループ情報を作成する作成手段と、
前記チャンネルグループ情報に基づいて各データ放送サービスごとにグループ分けされた複数のチャンネル番号を前記データ放送サービスの説明及び前記各チャンネルの説明とともに表示するための制御を行う表示制御手段と、
を備えることを特徴とするテレビジョン放送受信機。
【請求項３】
前記データ放送サービスの説明及び各チャンネル番号の説明の入力をユーザから受け付ける受付手段とをさらに備えることを特徴とする、請求項２に記載のテレビジョン放送受信機。
【請求項４】
前記チャンネル遷移情報は、BML(Broadcast Markup Language)のECMAScriptで記述されたチャンネル遷移関数としてのepgTune関数よって特定された同一のデータ放送サービス
で使用される複数のチャンネル番号間のチャンネル遷移情報であることを特徴とする、請求項３に記載のテレビジョン放送受信機。
【発明の詳細な説明】
【技術分野】
【０００１】
本発明は、テレビジョン放送受信機、特に、同一のデータ放送サービスで使用される複数のチャンネル番号を特定するチャンネル遷移情報を含むデータ放送データを受信するテレビジョン放送受信機に関する。
【背景技術】
【０００２】
特許文献１には、従来の番組情報表示装置が記載されている。この番組情報表示装置は、ある番組の番組情報のテキストから予め決められたキーワードを検索する。そのキーワードがその番組の番組情報中に見つかった場合には、その他の番組であって番組情報に同じキーワードを持つ最も放送開始時刻が近い将来放送される予定の番組を検索する。そして、ある番組の番組情報をその他の番組の番組情報へのリンクとともに表示する。
【０００３】
特許文献２には、従来のテレビジョン受信機が記載されている。このテレビジョン受信機は、チャンネルのアップキー及びダウンキーを操作することにより、順次選局する放送波を変更したり、外部入力端子からの信号を受け付けたり、あるいは、ブラウザプログラムを実行したり、受信電子メールリストの表示プログラムを実行したり、作成済み電子メールリストの表示プログラムを実行したり、また、アルバムプログラムを実行したりすることができるようになっている。
【０００４】
特許文献３には、従来のデジタル放送受信機が記載されている。このデジタル放送受信機は、車両に搭載され、メインディスプレイ及びサブディスプレイを備えている。サブディスプレイは、ハンドルの近傍に設けられており、メインディスプレイに表示されるＥＰＧ情報の一部を表示する。また、ハンドルに設けられた切換え手段を備えており、この切換え手段によって、サブディスプレイの表示する内容を切換え可能に構成されている。
【特許文献１】特開２０００−３４１５９８号公報（第７頁、第１−３図）
【特許文献２】特開２００２−４４５３６号公報（第１６頁、第１１図）
【特許文献３】特開２００３−２１９３０１号公報（第６−７頁、第５−１２図、第１９図）
【発明の開示】
【発明が解決しようとする課題】
【０００５】
ところで、データ放送の番組においては、同一のデータ放送サービスにつき複数のチャンネルを使用することがある。従来のテレビジョン放送受信機では、複数のチャンネル番号のリストを表示し、ユーザがデータ放送サービスに使用されるチャンネル番号を選択すると、当該チャンネル番号で放送されているデータ放送サービスのコンテンツの画面中に、同一サービスに使用されている他のチャンネル番号へのリンクボタンを表示している。
【０００６】
このような従来のテレビジョン放送受信機では、チャンネル番号のリストの画面において、どのチャンネル番号が同一サービスで使用される複数のチャンネル番号であるかをユーザに認識させることができず、ユーザが同一チャンネルに使用されるチャンネル番号を予想して選局するか、一旦何れかのチャンネル番号のコンテンツの画面を表示させた後にリンクボタンから選局する必要がある。しかしながら、同一サービスに使用されている複数のチャンネル番号の把握が困難である問題については、上記特許文献１乃至３の何れにも記載されていない。
【０００７】
本発明の目的は、同一のデータ放送サービスに使用される複数のチャンネル番号をユーザが容易に把握することができるテレビジョン放送受信機を提供することにある。
【課題を解決するための手段】
【０００８】
第１発明に係るテレビジョン放送受信機は、BML(Broadcast Markup Language)のECMAScriptで記述されたチャンネル遷移関数としてのepgTune関数よって特定されるチャンネル
遷移情報であって、同一のデータ放送サービスで使用される複数のチャンネル番号を特定するチャンネル遷移情報を含むデータ放送データを受信するテレビジョン放送受信機であって、前記データ放送データを受信する受信手段と、前記データ放送データから前記チャンネル遷移情報を取得して記録する記録手段と、前記チャンネル遷移情報に基づいて、各データ放送サービスごとに、前記データ放送サービスの説明と、前記データ放送サービスに使用される複数のチャンネル番号を互いに対応付けたグループと、各チャンネル番号の説明とを含むデータ放送グループ情報を作成する作成手段と、前記データ放送サービスの説明及び各チャンネル番号の説明の入力をユーザから受け付ける受付手段と、前記チャンネルグループ情報に基づいて各データ放送サービスごとにグループ分けされた複数のチャンネル番号を前記データ放送サービスの説明及び前記各チャンネルの説明とともに表示するための制御を行う表示制御手段と、を備えることを特徴とする。
【０００９】
この受信機によれば、データ放送データから取得したチャンネル遷移情報によってデータ放送グループ情報を作成し、データ放送グループ情報に基づいて、同一サービスに使用される複数のチャンネル番号を各サービスごとに表示することが可能であるので、同一サービスに使用される複数のチャンネル番号をユーザが容易に把握可能である。また、この受信機によれば、各サービス、及び各チャンネル番号にユーザが所望の説明を付加することができるので、ユーザの利便性が高まる。また、BML(Broadcast Markup Language)のECMAScriptで記述されたチャンネル遷移関数としてのepgTune関数よって特定されるチャン
ネル遷移情報を利用して、同一サービスに使用される複数のチャンネル番号を特定できる。
【００１０】
第２発明に係るテレビジョン放送受信機は、同一のデータ放送サービスで使用される複数のチャンネル番号を特定するチャンネル遷移情報を含むデータ放送データを受信するテレビジョン放送受信機であって、前記データ放送データを受信する受信手段と、前記データ放送データから前記チャンネル遷移情報を取得して記録する記録手段と、前記チャンネル遷移情報に基づいて、各データ放送サービスごとに、前記データ放送サービスの説明と、前記データ放送サービスに使用される複数のチャンネル番号を互いに対応付けたグループと、各チャンネル番号の説明とを含むデータ放送グループ情報を作成する作成手段と、前記チャンネルグループ情報に基づいて各データ放送サービスごとにグループ分けされた複数のチャンネル番号を前記データ放送サービスの説明及び前記各チャンネルの説明とともに表示するための制御を行う表示制御手段と、を備えることを特徴とする。
【００１１】
この受信機によれば、データ放送データから取得したチャンネル遷移情報によってデータ放送グループ情報を作成し、データ放送グループ情報に基づいて、同一サービスに使用される複数のチャンネル番号を各サービスごとに表示することが可能であるので、同一サービスに使用される複数のチャンネル番号をユーザが容易に把握可能である。
【００１２】
第３発明に係るテレビジョン放送受信機は、第２発明に係る受信機において、前記サービスの説明及び各チャンネル番号の説明の入力をユーザから受け付ける受付手段とをさらに備えることを特徴とする。
【００１３】
この受信機によれば、各サービス、及び各チャンネル番号にユーザが所望の説明を付加することができるので、ユーザの利便性が高まる。
【００１４】
第４発明に係るテレビジョン放送受信機は、第３発明に係る受信機において、前記チャンネル遷移情報は、BML(Broadcast Markup Language)のECMAScriptで記述されたチャンネル遷移関数としてのepgTune関数よって特定された同一サービスで使用される複数のチャ
ンネル番号間のチャンネル遷移情報であることを特徴とする。
【００１５】
データ放送データが、BMLのECMAScriptで記述されている場合には、epgTune関数という放送関数によってチャンネル番号の切換え情報（チャンネル遷移情報）を記述している。このepgTune関数を発行したチャンネルのチャンネル番号、及び飛び先チャンネル番号を
チャンネル遷移情報として取得及び記録すれば、複数のチャンネル番号の各チャンネル番号間の相互の関連性が分かり、同一サービスに使用される複数のチャンネル番号を知ることができる。
【発明の効果】
【００１６】
本発明によれば、同一のデータ放送サービスに使用される複数のチャンネル番号をユーザが容易に把握することができるテレビジョン放送受信機を提供できる。
【発明を実施するための最良の形態】
【００１７】
〔構成〕
図１は、本発明に係る一実施形態に係るテレビジョン放送受信機１の概略構成図である。
【００１８】
このテレビジョン放送受信機１は、チューナ部１１と、デジタル復調部１２と、ＴＳデコード部１３と、音声デコード部１４と、映像デコード部１５と、ＥＰＧデコード部１６と、描画処理部１７と、ＲＡＭ１８と、ＲＯＭ１９と、ＣＰＵ２０と、Ｉ／Ｏポート２１と、バスライン２２とを備えている。
【００１９】
チューナ部１１は、アンテナ２を介してデータ放送電波を受信する。デジタル復調部１２は、所定のデジタル変調方式によって変調された信号を、元のデジタル信号のＴＳに復調する。ＴＳデコード部１３は、復調されたＴＳから選局チャンネル分の音声データ及び映像データを分離する。また、ＴＳデコード部１３は、電子番組案内（ＥＰＧ）データを分離する。音声デコード部１４は、ＴＳデコード部１３で分離された音声データをデコードして、スピーカ３に出力する。映像デコード部１５は、ＴＳデコード部１３で分離された映像データをデコードして、描画処理部１７に出力する。ＥＰＧデコード部１６は、ＴＳデコード部１３で分離されたＥＰＧデータをデコードして、描画処理部１７に出力する。描画処理部１７は、デコードされた映像データ及びＥＰＧデータのディスプレイ４への描画を処理する。また、描画処理部１７は、ＣＰＵ２０からの指令に基づいて、ＲＡＭ１８から読み出したデータを処理してディスプレイ４に表示する。ＲＡＭ１８は、ＣＰＵ２０等の処理に必要なデータを記憶する。ＲＯＭ１９は、ＣＰＵ２０等の制御に必要なプログラムを記憶する。ＣＰＵ２０は、テレビジョン放送受信機の各部を制御する。Ｉ／Ｏポート２１は、リモコン等からの外部信号の処理を行う。
【００２０】
〔ＥＰＧ表示〕
図２は、ディスプレイ４に表示されるＥＰＧ表示画面の例である。
【００２１】
このＥＰＧ表示画面は、ユーザがリモコンのＥＰＧ表示ボタン等を操作した際に表示される。ＥＰＧ表示ボタン等が操作されると、その信号はＩ／Ｏポート２１を介してＣＰＵ２０に送信され、ＣＰＵ２０の指令によって、ＥＰＧデコード部１６、描画処理部１７からディスプレイ４にＥＰＧ表示画面が表示される。また、ＥＰＧ情報をＲＡＭ１８に蓄積している場合には、ＣＰＵ２０の指令によって、描画処理部１７がＲＡＭ１８からＥＰＧ情報を読み出してディスプレイ４に表示することもある。
【００２２】
図２のＥＰＧ表示画面では、複数のチャンネル番号と、各チャンネル番号に対応する放送局のロゴと、各チャンネル番号の説明とが対応付けられたリストが表示されている。各チャンネル番号の説明は、当該チャンネル番号に説明が付いている場合に表示され、説明がないチャンネル番号については表示されない。
【００２３】
図３は、図２のリストに含まれる複数のチャンネル番号と各データ放送サービスとの対応を説明する説明図である。以下、データ放送サービスを単にサービスと称す。
【００２４】
図３に示すように、チャンネル番号ａａａ、ｂｂｂ、ｃｃｃはサービス１に使用され、チャンネル番号ｄｄｄ、ｅｅｅはサービス２に使用され、チャンネル番号ｆｆｆ、ｇｇｇはサービス３に使用されている。
【００２５】
図４は、サービス１に使用される各チャンネル番号のコンテンツの画面を説明する図である。同図（ａ）は、図２の画面においてチャンネル番号ａａａを選択すると表示されるコンテンツの画面である。この画面では、チャンネル番号ａａａの番組本体ａａａと、ボタン「リンク１」、「リンク２」が表示されている。「リンク１」及び「リンク２」には、チャンネル番号ａａａと同一のサービス１で使用される他のチャンネル番号ｂｂｂ、ｃｃｃがそれぞれ割り当てられている。
【００２６】
同図（ａ）において「リンク１」を選択すると、同図（ｂ）に示すように、チャンネル番号ｂｂｂのコンテンツの画面に切り換えられる。チャンネル番号ｂｂｂのコンテンツの画面では、番組本体ｂｂｂと、ボタン「リンク３」、「リンク４」が表示されている。「リンク３」及び「リンク４」には、サービス１で使用される他のチャンネル番号ａａａ、ｃｃｃがそれぞれ割り当てられている。
【００２７】
同図（ａ）において「リンク２」を選択すると、同図（ｃ）に示すように、チャンネル番号ｃｃｃのコンテンツの画面に切り換えられる。チャンネル番号ｃｃｃのコンテンツの画面では、番組本体ｃｃｃと、ボタン「リンク５」、「リンク６」とが表示されている。「リンク５」及び「リンク６」には、サービス１に使用される他のチャンネル番号ａａａ、ｂｂｂが割り当てられている。
【００２８】
図２乃至図４で説明した従来のＥＰＧ表示では以下の様な問題点がある。
【００２９】
第１に、ユーザは、図２に示したチャンネル番号のリストを見ただけでは、同一サービスに使用される複数のチャンネル番号を知ることができない。即ち、図２と図３とを比較すれば分かるように、同一の放送局のロゴが付されたチャンネル番号であっても、異なるサービスに使用される場合があり、同一サービスに使用されるチャンネル番号をロゴによって判断することができない。また、各チャンネル番号の説明が無い場合があり、各チャンネル番号の説明があっても、同一サービスに使用される複数のチャンネル番号が分かるような説明が記載されているとは限らない。
【００３０】
第２に、ユーザは、同一サービスに使用されるチャンネル番号を選択するには、まず、当該サービス（図４ではサービス１）に使用されるチャンネル番号の１つを選択し、そのコンテンツの画面において、同一サービスに使用される他のチャンネル番号に切り換える必要がある。
【００３１】
〔データ放送グループ表示〕
上記第１の問題及び第２の問題を解決するために、本発明では、データ放送データ中に含まれるチャンネル遷移関数を利用して、同一サービスに使用される複数のチャンネル番号からなるデータ放送グループを視覚的に表示する。
【００３２】
データ放送データは、一般に、BML(Broadcast Markup Language)のECMAScriptで記述され、チャンネル番号間の遷移の情報（チャンネル遷移情報）は、チャンネル遷移関数としてのepgTune関数よって記述されている。そこで、図１において、ＣＰＵ２０によって、
ＥＰＧデコード部１６からepgTune関数の「発行元のチャンネル番号」及び「飛び先のチ
ャンネル番号」（チャンネル遷移情報）を取得し、このチャンネル遷移情報に基づいて、データ放送グループ情報を作成してＲＡＭ１８に記録する。
【００３３】
データ放送グループ情報は、各サービスに使用される複数のチャンネル番号を互いに対応付けたグループと、各サービスの説明と、各チャンネル番号の説明とを含む。ユーザがリモコン等によってデータ放送グループ情報の表示を指示すると、ＣＰＵ２０の制御により、描画処理部１７が、ＲＡＭ１８からデータ放送グループ情報を読み出してディスプレイ４に表示する。
【００３４】
図５は、ディスプレイ４に表示されるデータ放送グループ情報の画面例である。
【００３５】
この画面では、各サービスごとにチャンネル番号が対応付けられて表示される。例えば、サービス１に使用されるチャンネル番号ａａａ〜ｃｃｃが互いに対応付けられ、サービス２に使用されるチャンネル番号ｄｄｄ〜ｅｅｅが互いに対応付けられ、サービス３に使用されるチャンネル番号ｆｆｆ〜ｇｇｇが互いに対応付けられて表示される。
【００３６】
この画面は、データ放送グループ表示フィールド１００、２００、３００から構成される。各データ放送グループフィールド１００、２００、３００は、チャンネル番号フィールド１０１，２０１，３０１、チャンネル説明フィールド１０３，２０３，３０３、及びグループ説明フィールド１０３，２０３，３０３を各々含んでいる。グループ説明フィールドは、特定のサービスに使用されるチャンネル番号のグループの説明であり、サービスの説明に対応する。
【００３７】
サービス１を例に挙げて説明すると、チャンネル番号フィールド１０１には、サービス１に使用されるチャンネル番号のグループが表示される。チャンネル説明フィールド１０２には、各チャンネル番号ごとの説明「説明ａ」〜「説明ｃ」が表示され、ユーザによって各チャンネル番号の説明が入力可能である。グループ説明フィールド１０３は、各サービスに使用される複数のチャンネル番号のグループの説明「グループ１」が表示され、ユーザによってグループの説明が入力可能である。
【００３８】
また、データ放送グループ情報の画面を図６のように表示することもできる。図６は、データ放送グループ情報の画面のその他の例であり、図５のデータ放送グループ表示フィールド１００の部分を表示したものである。図６では、チャンネル番号フィールド１０１において、代表チャンネルとその他のチャンネルとを樹形図状に表示する。このような表示によれば、チャンネル番号ａａａの「説明ａ」に、ユーザが例えば「代表チャンネル」等の説明を入力しなくても、サービス１に使用されるチャンネル番号の代表チャンネルを容易に視認することができる。この場合は、説明フィールド１０２の「説明ａ」を省略可能である。但し、この場合も、「説明ａ」を入力可能にしても良い。
【００３９】
図７は、上述したデータ放送グループ情報の表示処理のフローチャートである。
【００４０】
ステップＳ１１では、ＣＰＵ２０によって、ＥＰＧデコード部１６からepgTune関数の
「発行元のチャンネル番号」及び「飛び先のチャンネル番号」（チャンネル遷移情報）を取得し、「発行元のチャンネル番号」及び「飛び先のチャンネル番号」（チャンネル遷移情報）に基づいて、各サービスごとに対応付けられたチャンネル番号のグループと、各サービスの説明と、各チャンネル番号の説明とからなるデータ放送グループ情報を作成してＲＡＭ１８に記録する。
【００４１】
ステップＳ１２では、ユーザからデータ放送グループ情報の表示指示があるまで待った後、ステップＳ１３に移行する。ステップＳ１３では、データ放送グループ情報をＲＡＭ１８から読み出して、図５又は図６のように表示する。
【００４２】
ステップＳ１４では、チャンネル説明フィールド１０１〜３０１又はグループ説明フィールド１０３〜３０３への説明入力の指示があったか否かを判定する。この判定は、図５又は図６において、特定のチャンネル説明フィールド１０１〜３０１又はグループ説明フィールド１０３〜３０３が選択されたか否かによって行う。また、リモコンのボタン等に
説明入力の指示を割り当てておき、ユーザがそのボタン等を操作したか否かによって行っても良い。ステップＳ１４において説明入力の指示があった場合にはステップＳ１５に移行する。ステップＳ１５では、チャンネル説明フィールド１０１〜３０１又はグループ説明フィールド１０３〜３０３のうち選択されたフィールドに、ユーザから入力される説明を入力する。即ち、ＲＡＭ１８に記録されているデータ放送グループ情報のサービスの説明又はチャンネル番号の説明の該当部分を更新し、ディスプレイ４に表示しているデータ放送グループ情報の画面を更新する。ステップＳ１４において説明入力指示がない場合にはステップＳ１６に移行する。
【００４３】
ステップＳ１６では、図５又は図６の画面において特定のチャンネル番号が選局されたか否かを判定する。選局の仕方は、図５又は図６の画面中のチャンネル番号をカーソルで選択するようにしても良いし、リモコンの数字キーによってダイレクトに選局できるようにしても良い。ステップＳ１６で特定のチャンネル番号が選局された場合には、ステップＳ１７で、選択されたチャンネル番号のコンテンツを表示する。一方、ステップＳ１６において特定のチャンネル番号が選局されていない場合にはステップＳ１８に移行する。
【００４４】
ステップＳ１８では、データ放送グループ情報の表示を終了する旨の終了指示がユーザからあったか否かを判定する。終了指示があった場合にはデータ放送グループ情報の表示処理を終了し、終了指示がない場合にはステップＳ１４に戻り、ステップＳ１４〜Ｓ１８の処理を繰り返す。
【００４５】
〔作用効果〕
以上説明した様に、本実施形態では、データ放送データに含まれるepgTune関数の「発
行元チャンネル番号」及び「飛び先チャンネル番号」（チャンネル遷移情報）を取得して、「発行元チャンネル番号」及び「飛び先チャンネル番号」（チャンネル遷移情報）に基づいて、各サービスごとに互いに対応付けられたチャンネル番号のグループ、各サービスの説明、各チャンネル番号の説明からなるデータ放送グループ情報を作成して蓄積しておくことにより、同一サービスに使用される複数のチャンネル番号が容易に視認可能な画面（図５又は図６）をユーザに提供することができる。この結果、ユーザは、各サービスに使用される複数のチャンネル番号を容易に把握することができる。特に、放送局のロゴが同一である複数のデータ放送サービスがある場合にも、各サービスに使用される複数のチャンネル番号を容易に把握可能になる。また、同一サービスに使用される複数のチャンネル番号がある場合に、特定のチャンネル番号を選択して当該チャンネル番号のコンテンツの画面を表示させた後に、そのコンテンツの画面から、同一サービスに使用される他のチャンネル番号を選択する必要が無くなり、データ放送グループ情報の画面（図５又は図６）から同一サービスに使用される複数のチャンネル番号を直接選択できるようになる。
【００４６】
さらに、本実施形態では、同一のデータ放送グループに使用される複数のチャンネル番号からなるグループを表示するとともに、ユーザが自由に入力できる説明フィールド（チャンネル説明フィールド１０２〜３０２、グループ説明フィールド１０３〜３０３）を設けたので、データ放送サービスのコンテンツの内容、及びデータ放送サービスに使用される複数のチャンネル番号ごとのコンテンツの内容をユーザが入力すれば、ユーザは、データ放送グループ情報表示画面において、各データ放送サービス、及び各チャンネル番号のコンテンツの内容を容易に把握できる。
【図面の簡単な説明】
【００４７】
【図１】テレビジョン受信機の概略構成図。
【図２】ディスプレイ４に表示されるＥＰＧ表示画面の例。
【図３】図２のリストに含まれる複数のチャンネル番号と各データ放送サービスとの対応を説明する説明図。
【図４】サービス１に使用される各チャンネル番号のコンテンツの画面。
【図５】データ放送グループ情報表示画面の第１の例。
【図６】データ放送グループ情報表示画面の第２の例。
【図７】データ放送グループ情報表示処理のフローチャート。
【符号の説明】
【００４８】
１  テレビジョン受信機
２  アンテナ
３  スピーカ
４  ディスプレイ
１１  チューナ部
１２  デジタル復調部
１３  ＴＳデコード部
１４  音声デコード部
１５  映像デコード部
１６  ＥＰＧデコード部
１７  描画処理部
１８  ＲＡＭ
１９  ＲＯＭ
２０  ＣＰＵ
２１  Ｉ／Ｏポート
２２  バスライン
１００、２００、３００  データ放送グループ表示フィールド
１０１、２０１、３０１  チャンネル番号フィールド
１０２、２０２、３０２  チャンネル番号説明フィールド
１０３、２０３、３０３  グループ説明フィールド
【図１】
2005318184.tif 000003
【図２】
2005318184.tif 000004
【図３】
2005318184.tif 000005
【図４】
2005318184.tif 000006
【図５】
2005318184.tif 000007
【図６】
2005318184.tif 000008
【図７】
2005318184.tif 000009